(57)【要約】【課題】高速扉と低速扉を有する扉において、より円滑な動作が可能なエレベータの扉装置を提供することを目的とする。【解決手段】敷居の長手方向に沿って同一方向に、三方枠で囲まれた開口部を開閉する高速扉と低速扉とからなるエレベータ扉の前記敷居には、高速扉を案内する溝が設けられたものにおいて、低速扉の下端及び中間部にはそれぞれ第１の溝と第２の溝を有し、敷居上面の三方枠で隠れる部分には、所定の寸法に亘って第１の溝を案内する第１のシューを備え、高速扉には第２の溝を案内する第２のシューを設けるものである。【選択図】        図１
2004217392.tif 000002
【特許請求の範囲】
【請求項１】
敷居の長手方向に沿って同一方向に、三方枠で囲まれた開口部を開閉する高速扉と低速扉とからなるエレベータ扉の前記敷居には、前記高速扉を案内する溝が設けられたものにおいて、
前記低速扉の下端及び中間部にはそれぞれ第１の溝と第２の溝を有し、前記敷居上面の前記三方枠で隠れる部分には、所定の寸法に亘って前記第１の溝を案内する第１のシューを備え、前記高速扉には前記第２の溝を案内する第２のシューを設けたことを特徴とするエレベータの扉装置。
【請求項２】
前記敷居は上面に第３の溝を有し、該第３の溝には前記第１のシューが調整自在に設けられたことを特徴とする請求項１に記載のエレベータの扉装置。
【請求項３】
前記敷居の前記開口部における第３の溝には、前記敷居と同質の部材が嵌入されていることを特徴とする請求項２に記載のエレベータの扉装置。
【請求項４】
前記敷居は、ベースと角パイプとカバーとからなることを特徴とする請求項１又は請求項２に記載のエレベータ扉装置。
【請求項５】
敷居の長手方向に沿って同一方向に、三方枠で囲まれた開口部を開閉する高速扉と低速扉とからなるエレベータ扉の前記敷居には、前記高速扉を案内する溝が設けられたものにおいて、
前記敷居の上面には前記三方枠で隠れる部分に第１のシャフトを設け、前記低速扉の中間部には第２のシャフトを備え、前記低速扉には前記第１のシャフトに沿って移動するベアリングを有し、前記高速扉には前記第２のシャフトに沿って移動するベアリングを備えたことを特徴とするエレベータの扉装置。
【発明の詳細な説明】
【０００１】
【発明の属する技術分野】
本発明は、開閉速度の異なる少なくとも２枚の扉を有するエレベータ扉装置の改良に関するものである。
【０００２】
【従来の技術】
最近、エレベータ扉を案内する敷居の溝にゴミが溜り開閉不能となる故障を防止するために、敷居の上面を平坦にして溝にゴミがたまらないようにする扉装置が提案されている。
【０００３】
即ち、図９及び図１０に示すような扉装置が代表的な例として挙げられる。（例えば、特許文献１及び特許文献２参照）
【０００４】
【特許文献１】
特開平９−７１３７９号公報
【特許文献２】
特開平８−１４３２５６号公報
【０００５】
先ず、前者は図９に示すとおり、敷居３の裏面に二筋の溝３ａ，３ｂを有し、各扉１，２にはブラケットを介してローラ１ａ，２ａを設け、このローラ１ａ，２ａが溝３ａ，３ｂに案内されて周知の三方枠で囲まれた開口部を扉１，２により開閉するものである。
【０００６】
次に、後者は図１０に示すように、敷居１３の裏面に高速扉１０を案内する溝１３ａを設け、高速扉１０にはブラケットを介してローラ１０ａを設け、低速扉１１には下端部と中間部に溝１１ａ，１１ｂを有し、溝１１ａには敷居１３の上面に設けられたローラ１２に案内され、溝１１ｂは高速扉１０にブラケットを介して取付けられたローラ１０ａに案内されるように構成されている。
【０００７】
【発明が解決しようとする課題】
しかし、前者の場合は、敷居の裏面に双筋の溝を設けなければならず、長いブラケットを介して低速扉を案内する構造のため、円滑な開閉動作が難しい。一方、後者の場合にはローラ式ドアシューによる案内のため、低速扉の全域にわたって円滑な開閉動作が行ないずらい問題があった。
【０００８】
本発明は、上記の点に鑑みなされたもので、より円滑な動作が可能なエレベータの扉装置を提供することを目的とするものである。
【０００９】
【課題を解決するための手段】
本発明は、敷居の長手方向に沿って同一方向に、三方枠で囲まれた開口部を開閉する高速扉と低速扉とからなるエレベータ扉の前記敷居には、高速扉を案内する溝が設けられたものにおいて、
１．低速扉の下端及び中間部にはそれぞれ第１の溝と第２の溝を有し、敷居上面の三方枠で隠れる部分には、所定の寸法に亘って第１の溝を案内する第１のシューを備え、高速扉には第２の溝を案内する第２のシューを設ける。
２．敷居の上面には三方枠で隠れる部分に第１のシャフトを設け、低速扉の中間部には第２のシャフトを備え、低速扉には第１のシャフトに沿って移動するベアリングを有し、高速扉には第２のシャフトに沿って移動するベアリングを備える。ものである。
【００１０】
【発明の実施の形態】
本発明は、扉を案内する敷居において、外から見える部分には溝を設けず、意匠上問題にならない部分では扉の円滑な動作が可能なように案内するものである。
【００１１】
【実施例】
以下、本発明の一実施例について、図面を用いて説明する。図１は本発明に係るエレベータの扉装置の部分正面図、図２は図１のＡ−Ａ線矢視図、図３は本発明に係る扉装置の各状態を示す状態平面図である。
【００１２】
図中、２０は本発明に係る高速扉、２１は本発明に係る低速扉、２２は例えばアルミダイキャストからなる敷居で、裏面には溝２２ａが設けられるとともに、上面にも溝２２ｂが設けられている。この高速扉２０にはブラケットを介してシュー２０ａが取付けられ、敷居２２の溝２２ａに案内されるように構成されている。
【００１３】
一方、低速扉２１には下端に溝２１ａ、中間部に溝２１ｂが略幅いっぱいに設けられ、溝２１ａに対しては敷居２２に設けられた後述するシュー２３を案内するとともに、溝２１ｂに対してはブラケットを介して高速扉２０に設けられたシュー２４を案内する。（シュー２３により溝２１ａが、シュー２４により溝２１ｂが案内されているとも言える）
【００１４】
このシュー２３は通常、ちょうど三方枠に隠れて外から見えない部分の溝２２ｂに、所定の長さに亘ってこの溝の幅方向に調整自在に設けられ、見えうる部分の溝２２ｂには、例えば図４に示すように敷居と同質の部材２２ｃを嵌入するようにして、恰も敷居の上面には溝が存在しないように形成することもできる。このような処置はその時の状況に応じて適宜行えばよいことである。
【００１５】
ここで、敷居の構造を例えば図５に示すようにしてもよい。
即ち、ベース３０に角パイプ３１，３２を平行に配置して、両方の隙間を溝がわりに使用するとともに、溝の不要な箇所にはカバー３３を被せるものである。このカバー３３は例えばアルミシェープあるいはＳＵＳで構成すればよい。各ガイドシューの取り付けかたは、図６に示すようにすればよい。このようにすれば、一見複雑そうな形状の敷居であってもより簡単に構成することができる。
【００１６】
このように構成すれば、特に低速扉２１が図３に示すように所定の長さのシュー２３に案内されて移動するため、極めて円滑に開閉動作を行うことができる。このシュー２３の長さについては、長ければそれだけ低速扉２１をふらつきがなく確実に支持できるが一方、摺動音の方は逆に大きくなることからこのシュー２３の長さをできるだけ押さえることが望ましい。
【００１７】
そして、このシュー２３の長さをできるだけ短くしたい時には、低速扉２１からブラケットを延ばして別のシューにより溝２２ａを案内するように構成してもよい。この場合は、敷居２２の裏面の溝は、溝２２ａ一つだけで良い。
【００１８】
次に、図７は本発明に係るその他の実施例を示す正面図である。
図中、図１と同一符号のものは同一のものを示すが、この実施例では、溝とシューとの関係が、ちょうどシャフトとベアリングとの関係に置き換わっている。即ち、敷居２２の上面にはシャフト４１が、低速扉２１の中間部にもシャフト４２が設けられ、低速扉２１にはシャフト４１に案内されるベアリング４３、高速扉２０にはシャフト４２に案内されるベアリング４４がそれぞれ設けられるものである。このようにすれば、略全域にわたって扉を円滑に案内することができる。
【００１９】
特に、扉２０，２１が全開状態では、図８に示すように、低速扉２１の両端部がシャフト４１により適度に拘束される状態（右端はベアリング４３とシャフト４１との係合、左端は低速扉２１の折り曲げ部とシャフト４１の左端との係合による拘束状態）になるため、所謂「ふらつき」防止効果を発揮する。
【００２０】
【発明の効果】
以上説明したように本発明によれば、エレベータ扉を案内する敷居において、外から見える部分には特に溝を設けずに意匠上及びゴミ等の問題を防止しつつ、、意匠上問題にならないような部分では扉の支持案内が十分に行える案内部材を配置することにより、扉の円滑な開閉動作を達成するものである。
【図面の簡単な説明】
【図１】本発明に係るエレベータの扉装置の部分正面図である。
【図２】図１のＡ−Ａ線矢視図である。
【図３】本発明に係る扉装置の各状態を示す状態平面図である。
【図４】本発明に係る敷居構造の一例を示す詳細図である。
【図５】本発明に係る敷居構造の一例を示す詳細図である。
【図６】本発明に係る敷居構造のその他の例を示す詳細図である。
【図７】本発明に係るその他の実施例を示す正面図である。
【図８】本発明に係る敷居構造のその他の例を示す詳細図である。
【図９】従来のエレベータ扉装置を示す図である。
【図１０】従来のエレベータ扉装置を示す図である。
【符号の説明】
１，１０，２０  高速扉
２，１１，２１  低速扉
３，１３，２２  敷居
２１ａ，２１ｂ，２２ａ  溝
２２ｃ  嵌入部材
２３，２４  シュー
４１，４２  シャフト
４３，４４  ベアリング
【図１】
2004217392.tif 000003
【図２】
2004217392.tif 000004
【図３】
2004217392.tif 000005
【図４】
2004217392.tif 000006
【図５】
2004217392.tif 000007
【図６】
2004217392.tif 000008
【図７】
2004217392.tif 000009
【図８】
2004217392.tif 000010
【図９】
2004217392.tif 000011
【図１０】
2004217392.tif 000012